【手続補正書】
【提出日】平成30年4月3日(2018.4.3)
【手続補正１】
【補正対象書類名】特許請求の範囲
【補正対象項目名】全文
【補正方法】変更
【補正の内容】
【特許請求の範囲】
【請求項１】
ワイヤレス通信において制御データを復調するための方法であって、
デバイスにおいて、アクセスポイントから少なくとも１つの制御データリソースを備える信号を受信することと、ここにおいて、前記少なくとも１つの制御データリソースは複数のデバイスに関連し、ここで、前記複数のデバイスの各々のデバイスは、レイヤおよび変調方式のうちの割り当てられた少なくとも１つを有する、
前記少なくとも１つの制御データリソースを変調するために利用された複数の変調方式のうちの１つを決定することと、
前記デバイスのための制御データの変調に関連するレイヤを決定することと、
前記少なくとも１つの制御データリソース中で制御データを取得するために、前記複数の変調方式のうちの前記１つと前記レイヤとに従って前記信号を復調することと
を備える、方法。
【請求項２】
前記レイヤを決定することは、前記少なくとも１つの制御データリソースが重複する制御データを含むかどうか、を決定することに少なくとも部分的に基づく、請求項１に記載の方法。
【請求項３】
前記少なくとも１つの制御データリソースが重複する制御データを含むかどうか、を決定することは、前記少なくとも１つの制御データリソースが重複する制御データを含むかどうかを指定するインジケーションを前記アクセスポイントから受信することに少なくとも部分的に基づく、または、
前記少なくとも１つの制御データリソースが重複する制御データを含むかどうか、を決定することは、前記複数の変調方式のうちの少なくとも２つを使用して前記信号のマルチプルな復調を実行することと、前記マルチプルな復調の各々に巡回冗長検査（ＣＲＣ）を適用することと、前記それぞれのＣＲＣに基づいてどの復調が前記少なくとも１つの制御データリソースを生じるかを決定することとに少なくとも部分的に基づく、請求項２に記載の方法。
【請求項４】
前記レイヤを決定することが、前記レイヤをエンハンスメントレイヤとして決定することを備え、前記信号を復調することが、前記エンハンスメントレイヤに対応する前記少なくとも１つの制御データリソースの最後の２ビットを取得することを備える、請求項１に記載の方法。
【請求項５】
前記レイヤを前記エンハンスメントレイヤとして決定することは、前記少なくとも１つの制御データリソースが重複する制御データを含むかどうか、を決定することに少なくとも部分的に基づく、または、
前記レイヤを前記エンハンスメントレイヤとして決定することは、前記アクセスポイントに報告されるチャネルフィードバックがしきい値に達する、と決定することに少なくとも部分的に基づく、請求項４に記載の方法。
【請求項６】
前記レイヤを決定することは、前記少なくとも１つの制御データリソースが重複する制御データを含まない、と決定することに少なくとも部分的に基づいて、前記レイヤをベースレイヤまたはエンハンスメントレイヤのいずれかとして決定することを備える、請求項１に記載の方法。
【請求項７】
前記レイヤに少なくとも部分的に基づいて、前記アクセスポイントに制御データを送信するための１つまたは複数のリソースを決定することをさらに備える、請求項１に記載の方法。
【請求項８】
前記レイヤに少なくとも部分的に基づいて、前記少なくとも１つの制御データリソースに対応する制御チャネルのためのサーチスペースを決定することをさらに備える、請求項１に記載の方法。
【請求項９】
ワイヤレス通信において制御データを復調するための装置であって、
先行する請求項のいずれか一項に記載の方法を実行するように構成された受信コンポーネントと変調決定コンポーネントとを備える、装置。
【請求項１０】
ワイヤレス通信において制御データを変調するための方法であって、
制御データを通信するための制御データリソースを割り当てる複数のデバイスを決定することと、ここにおいて、前記複数のデバイスは第１のデバイスおよび第２のデバイスを含み、前記複数のデバイスは、同様の制御データリソースの少なくとも一部分を割り当てられ、ここで前記第１のデバイスおよび前記第２のデバイスは各々、レイヤおよび変調方式のうちの割り当てられた少なくとも１つを有する、
前記制御データリソースが前記第２のデバイスのための第２の制御データを含むかどうかに少なくとも部分的に基づいて、前記制御データリソースのエンハンスメントレイヤ中で前記第１のデバイスのための第１の制御データを変調することと、
前記制御データリソース上で変調された少なくとも前記第１の制御データを送信することと
を備える、方法。
【請求項１１】
前記制御データリソースの前記エンハンスメントレイヤ中で前記第１のデバイスのための前記第１の制御データを変調することは、前記制御データリソースが前記第２のデバイスのための前記第２の制御データを含むかどうかに関係しない、請求項１０に記載の方法。
【請求項１２】
前記制御データリソースのベースレイヤ中で前記第２のデバイスのための前記第２の制御データを変調することと、
前記ベースレイヤと前記エンハンスメントレイヤとを重ね合わせることによって前記制御データリソースのマルチプルレイヤ変調を実行することと、
前記制御データリソースの前記マルチプルレイヤ変調において前記第１の制御データとともに前記第２の制御データを送信することと
をさらに備え、オプションにより、
前記第１の制御データを変調することが１６直交振幅変調に基づき、前記第２の制御データを変調することが４位相シフトキーイングに基づく、または、
前記第１のデバイスと前記第２のデバイスとからの報告されたチャネルフィードバックに少なくとも部分的に基づいて前記制御データリソース中で前記第１の制御データと前記第２の制御データとを通信するために前記第１のデバイスと前記第２のデバイスとをグループ化すると決定することをさらに備える、請求項１０に記載の方法。
【請求項１３】
前記制御データリソースのベースレイヤ中で前記第１のデバイスのための第３の制御データを変調すること、
前記ベースレイヤと前記エンハンスメントレイヤとを重ね合わせることによって前記制御データリソースのマルチプルレイヤ変調を実行すること、および、
前記制御データリソースの前記マルチプルレイヤ変調において前記第１の制御データとともに前記第３の制御データを送信すること、または、
前記制御データリソースがマルチプルなデバイスのための重複された制御データを含むかどうかのインジケーションを前記第１のデバイスに送信すること、または、
前記エンハンスメントレイヤ中で前記第１のデバイスのための前記第１の制御データを変調することに少なくとも部分的に基づいて決定されたリソース中で、前記第１のデバイスからアップリンク制御データを受信すること、または、
前記エンハンスメントレイヤ中で前記第１のデバイスのための前記第１の制御データを変調することに少なくとも部分的に基づいて定義されたサーチスペース中で、前記第１の制御データを送信すること、
をさらに備える、請求項１０に記載の方法。
【請求項１４】
ワイヤレス通信において制御データを変調するための装置であって、
請求項１０〜請求項１４のうちのいずれか一項に記載の方法を実行するように構成された送信コンポーネントと、
変調コンポーネントと
を備える、装置。
【請求項１５】
請求項１〜請求項８および請求項１０〜請求項１３のうちのいずれか一項に記載の方法を実行するためのコンピュータ実行可能命令を記憶したコンピュータ可読記憶媒体。
【手続補正２】
【補正対象書類名】明細書
【補正対象項目名】００７７
【補正方法】変更
【補正の内容】
【００７７】
[0084]上記の開示は、例示的な態様および／または実施形態について論じているが、添付の特許請求の範囲によって定義される説明した態様および／または実施形態の範囲から逸脱することなく、様々な変更および改変を行うことができることに留意されたい。さらに、説明した態様および／または実施形態の要素は、単数形で説明または請求されていることがあるが、単数形への限定が明示的に述べられていない限り、複数形が企図される。さらに、任意の態様および／または実施形態の全部または一部は、別段の規定がない限り、任意の他の態様および／または実施形態の全部または一部とともに利用され得る。
以下に本願の出願当初の特許請求の範囲に記載された発明を付記する。
[Ｃ１]  ワイヤレス通信において制御データを復調するための方法であって、
デバイスにおいて、アクセスポイントから少なくとも１つの制御データリソースを備える信号を受信することと、
前記少なくとも１つの制御データリソースを変調するために利用される複数の変調方式のうちの１つを決定することと、
前記デバイスのための制御データの変調に関連するレイヤを決定することと、
前記少なくとも１つの制御データリソース中で制御データを取得するために、前記複数の変調方式のうちの前記１つと前記レイヤとに従って前記信号を復調することと
を備える、方法。
[Ｃ２]  前記レイヤを決定することは、前記少なくとも１つの制御データリソースが重複する制御データを含むかどうかを決定することに少なくとも部分的に基づく、Ｃ１に記載の方法。
[Ｃ３]  前記少なくとも１つの制御データリソースが重複する制御データを含むかどうかを決定することは、前記少なくとも１つの制御データリソースが重複する制御データを含むかどうかを指定するインジケーションを前記アクセスポイントから受信することに少なくとも部分的に基づく、Ｃ２に記載の方法。
[Ｃ４]  前記少なくとも１つの制御データリソースが重複する制御データを含むかどうかを決定することは、前記複数の変調方式のうちの少なくとも２つを使用して前記信号のマルチプルな復調を実行することと、前記マルチプルな復調の各々に巡回冗長検査（ＣＲＣ）を適用することと、前記それぞれのＣＲＣに基づいてどの復調が前記少なくとも１つの制御データリソースを生じるかを決定することとに少なくとも部分的に基づく、Ｃ２に記載の方法。
[Ｃ５]  前記レイヤを決定することが、前記レイヤをエンハンスメントレイヤとして決定することを備え、前記信号を復調することが、前記エンハンスメントレイヤに対応する前記少なくとも１つの制御データリソースの最後の２ビットを取得することを備える、Ｃ１に記載の方法。
[Ｃ６]  前記レイヤを前記エンハンスメントレイヤとして決定することは、前記少なくとも１つの制御データリソースが重複する制御データを含むかどうかを決定することに少なくとも部分的に基づく、Ｃ５に記載の方法。
[Ｃ７]  前記レイヤを前記エンハンスメントレイヤとして決定することは、前記アクセスポイントに報告されるチャネルフィードバックがしきい値を達成すると決定することに少なくとも部分的に基づく、Ｃ５に記載の方法。
[Ｃ８]  前記レイヤを決定することは、前記少なくとも１つの制御データリソースが重複する制御データを含まないと決定することに少なくとも部分的に基づいて、前記レイヤをベースレイヤおよびエンハンスメントレイヤとして決定することを備える、Ｃ１に記載の方法。
[Ｃ９]  前記レイヤに少なくとも部分的に基づいて、前記アクセスポイントに制御データを送信するための１つまたは複数のリソースを決定することをさらに備える、Ｃ１に記載の方法。
[Ｃ１０]  前記レイヤに少なくとも部分的に基づいて、前記少なくとも１つの制御データリソースに対応する制御チャネルのためのサーチスペースを決定することをさらに備える、Ｃ１に記載の方法。
[Ｃ１１]  ワイヤレス通信において制御データを復調するための装置であって、
デバイスにおいて、アクセスポイントから少なくとも１つの制御データリソースを備える信号を受信するように構成された受信コンポーネントと、
前記少なくとも１つの制御データリソースを変調するために利用される複数の変調方式のうちの１つを決定することと、前記デバイスのための制御データの変調に関連するレイヤを決定することとを行うように構成された変調決定コンポーネントと、
前記少なくとも１つの制御データリソース中で制御データを取得するために、前記複数の変調方式のうちの前記１つと前記レイヤとに従って前記信号を復調するように構成された復調コンポーネントと
を備える、装置。
[Ｃ１２]  前記変調決定コンポーネントは、前記少なくとも１つの制御データリソースが重複する制御データを含むかどうかを指定するインジケーションを前記アクセスポイントから受信することに少なくとも部分的に基づく、前記少なくとも１つの制御データリソースが重複する制御データを含むかどうかを決定することに少なくとも部分的に基づいて、前記レイヤを決定する、Ｃ１１に記載の装置。
[Ｃ１３]  前記変調決定コンポーネントは、前記複数の変調方式のうちの少なくとも２つを使用して前記信号のマルチプルな復調を実行することと、前記マルチプルな復調の各々に巡回冗長検査（ＣＲＣ）を適用することと、前記それぞれのＣＲＣに基づいてどの復調が前記少なくとも１つの制御データリソースを生じるかを決定することとに少なくとも部分的に基づく、前記少なくとも１つの制御データリソースが重複する制御データを含むかどうかを決定することに少なくとも部分的に基づいて、前記レイヤを決定する、Ｃ１１に記載の装置。
[Ｃ１４]  前記変調決定コンポーネントが前記レイヤをエンハンスメントレイヤとして決定し、前記復調コンポーネントが、前記エンハンスメントレイヤに対応する前記少なくとも１つの制御データリソースの最後の２ビットを取得する、Ｃ１１に記載の装置。
[Ｃ１５]  前記レイヤに少なくとも部分的に基づいて、前記アクセスポイントに制御データを送信するための１つまたは複数のリソースを決定するように構成された制御データ送信コンポーネントをさらに備える、Ｃ１１に記載の装置。
[Ｃ１６]  前記受信コンポーネントが、前記レイヤに少なくとも部分的に基づいて、前記少なくとも１つの制御データリソースに対応する制御チャネルのためのサーチスペースを決定するようにさらに構成された、Ｃ１１に記載の装置。
[Ｃ１７]  ワイヤレス通信において制御データを変調するための方法であって、
制御データリソースが第２のデバイスのための第２の制御データを含むかどうかに少なくとも部分的に基づいて、前記制御データリソースのエンハンスメントレイヤ中で第１のデバイスのための第１の制御データを変調することと、
前記制御データリソース上で変調された少なくとも前記第１の制御データを送信することと
を備える、方法。
[Ｃ１８]  前記制御データリソースの前記エンハンスメントレイヤ中で前記第１のデバイスのための前記第１の制御データを変調することは、前記制御データリソースが前記第２のデバイスのための前記第２の制御データを含むかどうかに関係しない、Ｃ１７に記載の方法。
[Ｃ１９]  前記制御データリソースのベースレイヤ中で前記第２のデバイスのための前記第２の制御データを変調することと、
前記ベースレイヤと前記エンハンスメントレイヤとを重ね合わせることによって前記制御データリソースのマルチプルレイヤ変調を実行することと、
前記制御データリソースの前記マルチプルレイヤ変調において前記第１の制御データとともに前記第２の制御データを送信することと
をさらに備える、Ｃ１７に記載の方法。
[Ｃ２０]  前記第１の制御データを変調することが１６直交振幅変調に基づき、前記第２の制御データを変調することが４位相シフトキーイングに基づく、Ｃ１９に記載の方法。
[Ｃ２１]  前記第１のデバイスと前記第２のデバイスとからの報告されたチャネルフィードバックに少なくとも部分的に基づいて前記制御データリソース中で前記第１の制御データと前記第２の制御データとを通信するために前記第１のデバイスと前記第２のデバイスとをグループ化すると決定することをさらに備える、Ｃ１９に記載の方法。
[Ｃ２２]  前記制御データリソースのベースレイヤ中で前記第１のデバイスのための第３の制御データを変調することと、
前記ベースレイヤと前記エンハンスメントレイヤとを重ね合わせることによって前記制御データリソースのマルチプルレイヤ変調を実行することと、
前記制御データリソースの前記マルチプルレイヤ変調において前記第１の制御データとともに前記第３の制御データを送信することと
をさらに備える、Ｃ１７に記載の方法。
[Ｃ２３]  前記制御データリソースがマルチプルなデバイスのための重複された制御データを含むかどうかのインジケーションを前記第１のデバイスに送信することをさらに備える、Ｃ１７に記載の方法。
[Ｃ２４]  前記エンハンスメントレイヤ中で前記第１のデバイスのための前記第１の制御データを変調することに少なくとも部分的に基づいて決定されたリソース中で、前記第１のデバイスからアップリンク制御データを受信することをさらに備える、Ｃ１７に記載の方法。
[Ｃ２５]  前記エンハンスメントレイヤ中で前記第１のデバイスのための前記第１の制御データを変調することに少なくとも部分的に基づいて定義されたサーチスペース中で、前記第１の制御データを送信することをさらに備える、Ｃ１７に記載の方法。
[Ｃ２６]  ワイヤレス通信において制御データを変調するための装置であって、
制御データリソースが第２のデバイスのための第２の制御データを含むかどうかに少なくとも部分的に基づいて、前記制御データリソースのエンハンスメントレイヤ中で第１のデバイスのための第１の制御データを変調するように構成された変調コンポーネントと、
前記制御データリソース上で変調された少なくとも前記第１の制御データを送信するように構成された送信コンポーネントと
備える、装置。
[Ｃ２７]  前記変調コンポーネントが、前記制御データリソースのベースレイヤ中で前記第２のデバイスのための前記第２の制御データを変調することと、前記ベースレイヤと前記エンハンスメントレイヤとを重ね合わせることによって前記制御データリソースのマルチプルレイヤ変調を実行することとを行うようにさらに構成され、前記送信コンポーネントが、前記制御データリソースの前記マルチプルレイヤ変調において前記第１の制御データとともに前記第２の制御データを送信するようにさらに構成された、Ｃ２６に記載の装置。
[Ｃ２８]  前記第１のデバイスと前記第２のデバイスとからの報告されたチャネルフィードバックに少なくとも部分的に基づいて前記制御データリソース中で前記第１の制御データと前記第２の制御データとを通信するために前記第１のデバイスと前記第２のデバイスとをグループ化すると決定するように構成されたデバイスグループ化コンポーネントをさらに備える、Ｃ２７に記載の装置。
[Ｃ２９]  前記エンハンスメントレイヤ中で前記第１のデバイスのための前記第１の制御データを変調することに少なくとも部分的に基づいて決定されたリソース中で、前記第１のデバイスからアップリンク制御データを受信するように構成された制御データ受信コンポーネントをさらに備える、Ｃ２６に記載の装置。
[Ｃ３０]  前記送信コンポーネントが、前記エンハンスメントレイヤ中で前記第１のデバイスのための前記第１の制御データを変調することに少なくとも部分的に基づいて定義されたサーチスペース中で、前記第１の制御データを送信するようにさらに構成された、Ｃ２６に記載の装置。